【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】プリントシステム、プリントシステムの制御方法、サーバ装置
【手続補正２】
【補正対象書類名】明細書
【補正対象項目名】特許請求の範囲
【補正方法】変更
【補正の内容】
【特許請求の範囲】
【請求項１】
プリントすべき電子文書の指定を含むプリントの依頼に応じて、電子文書をプリントするプリントサービスを提供するプリントシステムであって、
プリント要求ジョブを受け付ける受付手段と、
プリントサービスの利用料金を算出する算出手段を有し、
前記算出手段は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することを特徴とするプリントシステム。
【請求項２】
前記プリントシステムにおいて、
画像データがネットワークを介して前記サーバ装置から前記プリント装置に転送されることを特徴とする請求項１記載のプリントシステム。
【請求項３】
前記プリントシステムにおいて、
前記サーバ装置は、クライアントからのプリント要求に応じて、登録されている画像データを前記プリント装置に送信することを特徴とする請求項１又は２記載のプリントシステム。
【請求項４】
前記プリントシステムにおいて、
前記サーバ装置はプリントサービスを管理する機能を有し、前記算出手段を含むことを特徴とする請求項１乃至３の何れかに記載のプリントシステム。
【請求項５】
前記プリントシステムにおいて、
前記算出手段はプリント装置からのプリント結果通知に基づいて前記利用料金を算出することを特徴とする請求項１乃至４の何れかに記載のプリントシステム。
【請求項６】
前記プリントシステムにおいて、
前記サーバ装置はネットワークを介してクライアント装置とプリント装置に接続されていることを特徴とする請求項１乃至５の何れかに記載のプリントシステム。
【請求項７】
プリントすべき電子文書の指定を含むプリントの依頼に応じて、電子文書をプリントするプリントサービスを提供するプリントシステムの制御方法であって、
プリント要求ジョブを受け付ける受付工程と、
プリントサービスの利用料金を算出する算出工程を含み、
前記算出工程は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することを特徴とするプリントシステムの制御方法。
【請求項８】
前記制御方法において、
画像データがネットワークを介して前記サーバ装置から前記プリント装置に転送されることを特徴とする請求項７記載のプリントシステムの制御方法。
【請求項９】
前記制御方法において、
前記サーバ装置は、クライアントからのプリント要求に応じて、登録されている画像データを前記プリント装置に送信することを特徴とする請求項７又は８記載のプリントシステムの制御方法。
【請求項１０】
前記制御方法において、
前記サーバ装置は、プリントサービスを管理する機能を含み、前記算出工程を含むことを特徴とする請求項７乃至９の何れかに記載のプリントシステムの制御方法。
【請求項１１】
前記制御方法において、
前記算出工程はプリント装置からのプリント結果通知に基づいて前記利用料金を算出することを特徴とする請求項７乃至１０の何れかに記載のプリントシステムの制御方法。
【請求項１２】
前記制御方法において、
前記サーバ装置はネットワークを介してクライアント装置とプリント装置に接続されていることを特徴とする請求項７乃至１１の何れかに記載のプリントシステムの制御方法。
【請求項１３】
プリントすべき電子文書の指定を含むプリントの依頼に応じて、電子文書をプリントするプリントサービスを提供するサーバ装置であって、
プリント要求ジョブを受け付ける受付手段と、
プリントサービスの利用料金を算出する算出手段を有し、
前記算出手段は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することを特徴とするサーバ装置。
【請求項１４】
前記サーバ装置において、
画像データがネットワークを介して前記サーバ装置から前記プリント装置に転送されることを特徴とする請求項１３記載のサーバ装置。
【請求項１５】
前記サーバ装置において、
クライアントからのプリント要求に応じて、登録されている画像データを前記プリント装置に送信することを特徴とする請求項１３又は１４記載のサーバ装置。
【請求項１６】
前記サーバ装置において、
プリントサービスを管理する機能を有することを特徴とする請求項１３乃至１５の何れかに記載のサーバ装置。
【請求項１７】
前記サーバ装置において、
前記算出手段はプリント装置からのプリント結果通知に基づいて前記利用料金を算出することを特徴とする請求項１３乃至１６の何れかに記載のサーバ装置。
【請求項１８】
前記サーバ装置において、
前記サーバ装置はネットワークを介してクライアント装置とプリント装置に接続されていることを特徴とする請求項１３乃至１７の何れかに記載のサーバ装置。
【請求項１９】
プリントすべき電子文書の指定を含むプリントの依頼に応じて、電子文書をプリントするプリントサービスを提供するプリントシステムを制御するためのプログラムを格納するコンピュータ読み取り可能な記憶媒体であって、
前記プログラムは、
プリント要求ジョブを受け付ける受付工程と、
プリントサービスの利用料金を算出する算出工程を含み、
前記算出工程は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することをコンピュータに実行させるためのプログラムコードからなることを特徴とする記憶媒体。
【手続補正３】
【補正対象書類名】明細書
【補正対象項目名】０００６
【補正方法】変更
【補正の内容】
【０００６】
【課題を解決するための手段】
上記目的を達成するために、本発明は、プリントすべき電子文書の指定を含むプリントの依頼に応じて、電子文書をプリントするプリントサービスを提供するプリントシステムであって、
プリント要求ジョブを受け付ける受付手段と、
プリントサービスの利用料金を算出する算出手段を有し、
前記算出手段は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することを特徴とする。
【手続補正４】
【補正対象書類名】明細書
【補正対象項目名】０００７
【補正方法】変更
【補正の内容】
【０００７】
前記プリントシステムにおいて、画像データがネットワークを介して前記サーバ装置から前記プリント装置に転送されることが好ましい。
【手続補正５】
【補正対象書類名】明細書
【補正対象項目名】０００８
【補正方法】変更
【補正の内容】
【０００８】
前記プリントシステムにおいて、前記サーバ装置は、クライアントからのプリント要求に応じて、登録されている画像データを前記プリント装置に送信することが好ましい。
【手続補正６】
【補正対象書類名】明細書
【補正対象項目名】０００９
【補正方法】変更
【補正の内容】
【０００９】
前記プリントシステムにおいて、前記サーバ装置はプリントサービスを管理する機能を有し、前記算出手段を含むことが好ましい。
【手続補正７】
【補正対象書類名】明細書
【補正対象項目名】００１０
【補正方法】変更
【補正の内容】
【００１０】
前記プリントシステムにおいて、前記算出手段はプリント装置からのプリント結果通知に基づいて前記利用料金を算出することが好ましい。

【手続補正８】
【補正対象書類名】明細書
【補正対象項目名】００１１
【補正方法】変更
【補正の内容】
【００１１】
前記プリントシステムにおいて、前記サーバ装置はネットワークを介してクライアント装置とプリント装置に接続されていることが好ましい。
【手続補正９】
【補正対象書類名】明細書
【補正対象項目名】００１２
【補正方法】変更
【補正の内容】
【００１２】
また、本発明は、プリントすべき電子文書の指定を含むプリントの依頼に応じて、電子文書をプリントするプリントサービスを提供するプリントシステムの制御方法であって、
プリント要求ジョブを受け付ける受付工程と、
プリントサービスの利用料金を算出する算出工程を含み、
前記算出工程は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することを特徴とする。
【手続補正１０】
【補正対象書類名】明細書
【補正対象項目名】００１３
【補正方法】変更
【補正の内容】
【００１３】
前記制御方法において、画像データがネットワークを介して前記サーバ装置から前記プリント装置に転送されることが好ましい。

【手続補正１１】
【補正対象書類名】明細書
【補正対象項目名】００１４
【補正方法】変更
【補正の内容】
【００１４】
前記制御方法において、前記サーバ装置は、クライアントからのプリント要求に応じて、登録されている画像データを前記プリント装置に送信することが好ましい。

【手続補正１２】
【補正対象書類名】明細書
【補正対象項目名】００１５
【補正方法】変更
【補正の内容】
【００１５】
前記制御方法において、前記サーバ装置は、プリントサービスを管理する機能を含み、前記算出工程を含むことが好ましい。

【手続補正１３】
【補正対象書類名】明細書
【補正対象項目名】００１６
【補正方法】変更
【補正の内容】
【００１６】
前記制御方法において、前記算出工程はプリント装置からのプリント結果通知に基づいて前記利用料金を算出することが好ましい。
【手続補正１４】
【補正対象書類名】明細書
【補正対象項目名】００１７
【補正方法】変更
【補正の内容】
【００１７】
前記制御方法において、前記サーバ装置はネットワークを介してクライアント装置とプリント装置に接続されていることが好ましい。

【手続補正１５】
【補正対象書類名】明細書
【補正対象項目名】００１８
【補正方法】変更
【補正の内容】
【００１８】
また、本発明は、プリントすべき電子文書の指定を含むプリントの依頼に応じて、電子文書をプリントするプリントサービスを提供するサーバ装置であって、
プリント要求ジョブを受け付ける受付手段と、
プリントサービスの利用料金を算出する算出手段を有し、
前記算出手段は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することを特徴とする。
【手続補正１６】
【補正対象書類名】明細書
【補正対象項目名】００１９
【補正方法】変更
【補正の内容】
【００１９】
前記サーバ装置において、画像データがネットワークを介して前記サーバ装置から前記プリント装置に転送されることが好ましい。
【手続補正１７】
【補正対象書類名】明細書
【補正対象項目名】００２０
【補正方法】変更
【補正の内容】
【００２０】
前記サーバ装置において、クライアントからのプリント要求に応じて、登録されている画像データを前記プリント装置に送信することが好ましい。

【手続補正１８】
【補正対象書類名】明細書
【補正対象項目名】００２１
【補正方法】変更
【補正の内容】
【００２１】
前記サーバ装置において、プリントサービスを管理する機能を有することが好ましい。

【手続補正１９】
【補正対象書類名】明細書
【補正対象項目名】００２２
【補正方法】変更
【補正の内容】
【００２２】
前記サーバ装置において、前記算出手段はプリント装置からのプリント結果通知に基づいて前記利用料金を算出することが好ましい。
【手続補正２０】
【補正対象書類名】明細書
【補正対象項目名】００２３
【補正方法】変更
【補正の内容】
【００２３】
前記サーバ装置において、前記サーバ装置はネットワークを介してクライアント装置とプリント装置に接続されていることが好ましい。
【手続補正２１】
【補正対象書類名】明細書
【補正対象項目名】００２４
【補正方法】変更
【補正の内容】
【００２４】
また、本発明は、プリントすべき電子文書の指定を含むプリントの依頼に応じて、電子文書をプリントするプリントサービスを提供するプリントシステムを制御するためのプログラムを格納するコンピュータ読み取り可能な記憶媒体であって、
前記プログラムは、
プリント要求ジョブを受け付ける受付工程と、
プリントサービスの利用料金を算出する算出工程を含み、
前記算出工程は、
プリント要求ジョブをサーバ装置を介して受け付けた場合は、第一の料金体系に基づいてプリントサービスの利用料金を算出し、
プリント要求ジョブを直接プリント装置が受け付けた場合は、前記第一の料金体系とは異なる第二の料金体系に基づいてプリントサービスの利用料金を算出することをコンピュータに実行させるためのプログラムコードからなることを特徴とする。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００４４
【補正方法】変更
【補正の内容】
【００４４】
情報提供部４０２は、本サーバ１００で管理されている各種データから、要求されたデータを検索して要求元に返送すべきデータを生成する。ここで、通信制御部４０１及び情報提供部４０２が通知手段を構成する。
【手続補正２５】
【補正対象書類名】明細書
【補正対象項目名】０１１９
【補正方法】変更
【補正の内容】
【０１１９】
図１９に示すログデータの例に従うと、店舗ＩＤ「０００１」の累積運用実績は、４８５，４７０円、店舗ＩＤ「０００２」の累積運用実績は１３６，９５０円であるから、ロイヤリティはそれぞれ４．５％となる。
【手続補正２６】
【補正対象書類名】明細書
【補正対象項目名】０１３０
【補正方法】変更
【補正の内容】
【０１３０】
このようにして得られた店舗情報をユーザに提供するために通知する（S2103）。ユー
ザ端末１０２に表示される画面例を図２３に示す。ユーザ端末１０２には、図２４に示すように、指定した店舗の位置を地図表示することもできる。